(57)【要約】      （修正有）【課題】径路内での組立に適したＬＥＤ照明構造を提供する。【解決手段】電気制御ケース本体、後部ふた板１２、固定板１３及び照明部１４により構成される。前記電気制御ケース本体は２つの対称になるＵ字型ケース１１１を組合せて直方体にさせ、前記Ｕ字型ケース１１１は水平面を有し、前記水平面の両側面はそれぞれ延伸される第１垂直面１１３及び第２垂直面１１４であり、前記第１垂直面１１３の底縁には凹型槽を形成させ、前記第２垂直面１１４の底縁にはフランジ部を形成させ、２つの対向し合うＵ字型ケース１１１の凹型槽及びフランジ部は相互に咬合させて組み合わされ、前記水平面の内面には２つの平行になる溝部１１７を凸設させ、２つの前記Ｕ字型ケース１１１の内の何れか１つの２つの平行になる溝部１１７はボルトにより制御回路基板を螺設させる。【選択図】図２
0003178984.tif 000002
【実用新案登録請求の範囲】
【請求項１】
２つの対称になるＵ字型ケースを組合せて直方体にさせ、前記Ｕ字型ケースは水平面を有し、前記水平面の両側面はそれぞれ延伸される第１垂直面及び第２垂直面であり、前記第１垂直面の底縁には凹型槽を形成させ、前記第２垂直面の底縁にはフランジ部を形成させ、２つの対向し合うＵ字型ケースの凹型槽及びフランジ部は相互に咬合させて組み合わされ、前記水平面の内面には２つの平行になる溝部を凸設させ、２つの前記Ｕ字型ケースの内の何れか１つの２つの平行になる溝部はボルトにより制御回路基板を螺設させる電気制御ケース本体と、
前記電気制御ケース本体の一側面に冠着されると共に電源入力コネクタを設置させ、電力を有する導線により電源を前記制御回路基板に供給させる後部ふた板と、
前記電気制御ケース本体の他の側面に冠着される前部ふた板を有し、前記前部ふた板には円形孔を開設させて前記制御回路基板から延伸される電線を貫通させ、前記前部ふた板の側面は垂直に延伸され且つ複数の固定孔を有する延伸板であり、緊合装置により前記複数の固定孔及び固定部材を貫通させる事で、前記固定部材に平行にさせるか、或いは任意の角度に傾斜させるかを選択させて固定させる固定板と、
長形体であり、前記長形体の面は透光面であり、内部に複数のＬＥＤを埋設させる回路基板を有し、前記回路基板は前記電線に導電されて接続されて電力を獲得すると共に前記制御回路基板に制御され、前記複数のＬＥＤが発射させる光線を前記透光面から射出させ、底部にはボルトにより前記前部ふた板を固設させる事で前記電気制御ケース本体の上面に結合させる照明部を備える事を特徴とするＬＥＤ照明構造。
【請求項２】
前記Ｕ字型ケースの水平面と第１垂直面及び第２垂直面との境界の角の位置にはボルト孔をそれぞれ設け、複数のボルトは前記前部ふた板及び後部ふた板の外から穿入させて前記ボルト孔に螺合させる事を特徴とする、請求項１に記載のＬＥＤ照明構造。
【請求項３】
前記固定板の固定孔は４つの長形孔で、前記固定板の延伸板に等角に分布される事を特徴とする、請求項１に記載のＬＥＤ照明構造。
【請求項４】
２つの対称になるＵ字型ケースを組合せて直方体にさせ、前記Ｕ字型ケースは水平面を有し、前記水平面の両側面はそれぞれ延伸される第１垂直面及び第２垂直面であり、前記第１垂直面の底縁には凹型槽を形成させ、前記第２垂直面の底縁にはフランジ部を形成させ、２つの対向し合うＵ字型ケースの凹型槽及びフランジ部は相互に咬合させて組み合わされ、前記水平面の内面には２つの平行になる溝部を凸設させ、２つの前記Ｕ字型ケースの内の何れか１つの２つの平行になる溝部はボルトにより制御回路基板を螺設させる電気制御ケース本体と、
前記電気制御ケース本体の一側面に冠着されると共に電源入力ソケットを固定させ、電力を有する導線により電源を前記制御回路基板に供給させ、その底縁は垂直に延伸されると共に２つの固定孔を有する第１延伸板である後部ふた板と、
前記電気制御ケース本体の他の側面に冠着され、円形孔を開設させて前記制御回路基板から延伸される電線に貫通させる前部ふた板と、
長形体であり、前記長形体の面は透光面であり、内部に複数のＬＥＤを埋設させる回路基板を有し、前記回路基板は前記電線に導電されて接続されて電力を獲得すると共に前記制御回路基板に制御され、前記複数のＬＥＤが発射させる光線を前記透光面から射出させ、前記長形体の底部に前記前部ふた板を固設させる事で前記電気制御ケース本体の上面に結合させる照明部と、
前記照明部の外端に固定され、底縁は垂直に延伸されると共に他の２つの固定孔を有する第２延伸板であり、緊合装置により前記複数の固定孔及び固定部材を貫通させて、前記固定部材に固定される固定板を備える事を特徴とするＬＥＤ照明構造。
【請求項５】
前記後部ふた板には外に向けて電源入力ソケット構造を設置させ、何れか１つの前記Ｕ字型ケースの水平面の外側には電源出力ソケット構造を設置させ、前記電源入力ソケット構造及び電源出力ソケット構造は円形蓋をそれぞれ有し前記電源入力ソケット構造及び電源出力ソケット構造のソケット孔を蓋させる事を特徴とする、請求項４に記載のＬＥＤ照明構造。
【考案の詳細な説明】
【技術分野】
【０００１】
本考案は、ＬＥＤ照明構造に関し、より詳しくは、例えば風力発電の風車塔内や地下鉄のトンネル内のような径路内での組立に適したＬＥＤ照明構造に関する。
【背景技術】
【０００２】
本考案の出願者の特許文献１の「長い径路用のＬＥＤ照明構造」中の、ＬＥＤ照明構造は前記長い径路内の線状物上に複数配列されて組立てられ、これは複数のオスソケット或いはメスソケット及びスイッチを設け、方形の上面を少なくとも有するベースと、長形体であり、前記長形体の面は透光面であり、内部に複数のＬＥＤを埋設させる回路基板及び必要な制御回路を有し、前記複数のＬＥＤが発射させる光線は前記透光面から射出され、前記長形体の底部には前記ベースの上面に結合される方形板を固設させ、前記方形板は前記透光面９０度の差異のある４つの回転角度の内から選択させて前記ベースの上面と結合される照明部と、前記ベースから延伸され、複数の固定孔を有し、緊合装置により前記複数の固定孔及び前記線状物上の固定部材を貫通させる事で、前記透光面と前記線状物とが平行か、或いは任意の角度に傾斜させて固定されるかを選択させる固定板を備える。
【先行技術文献】
【特許文献】
【０００３】
【特許文献１】台湾実用新案第100209575号公報
【考案の概要】
【考案が解決しようとする課題】
【０００４】
しかしながら、前記案に類似する図１の従来のＬＥＤ照明構造は、電気制御ケース本体９１、後部ふた板９２、固定板９３、照明部９４及び制御回路基板９５から主に組み合わされて構成される。但し電気制御ケース本体９１の構造は、長方形フレームに成型されるもので構成され、内部に固定させる制御回路基板９５は、組立時に工期を長引かせないがコストが高く、メンテナンスも容易ではなく、改善の余地がある。
【０００５】
そこで、本発明者は上記の欠点が改善可能と考え、鋭意検討を重ねた結果、合理的設計で上記の課題を効果的に改善する本考案の提案に到った。
【０００６】
本考案は、このような従来の問題に鑑みてなされたものである。本考案の主な目的は、上述の問題を解決するために、径路内での組立に適したＬＥＤ照明構造を提供することにある。
【課題を解決するための手段】
【０００７】
上述した課題を解決し、目的を達成するために、本考案に係るＬＥＤ照明構造は、
２つの対称になるＵ字型ケースを組合せて直方体にさせ、前記Ｕ字型ケースは水平面を有し、前記水平面の両側面はそれぞれ延伸される第１垂直面及び第２垂直面であり、前記第１垂直面の底縁には凹型槽を形成させ、前記第２垂直面の底縁にはフランジ部を形成させ、２つの対向し合うＵ字型ケースの凹型槽及びフランジ部は相互に咬合させて組み合わされ、前記水平面の内面には２つの平行になる溝部を凸設させ、２つの前記Ｕ字型ケースの内の何れか１つの２つの平行になる溝部はボルトにより制御回路基板を螺設させる電気制御ケース本体と、
前記電気制御ケース本体の一側面に冠着されると共に電源入力コネクタを設置させ、電力を有する導線により電源を前記制御回路基板に供給させる後部ふた板と、
前記電気制御ケース本体の他の側面に冠着される前部ふた板を有し、前記前部ふた板には円形孔を開設させて前記制御回路基板から延伸される電線を貫通させ、前記前部ふた板の側面は垂直に延伸され且つ複数の固定孔を有する延伸板であり、緊合装置により前記複数の固定孔及び固定部材を貫通させる事で、前記固定部材に平行にさせるか、或いは任意の角度に傾斜させるかを選択させて固定させる固定板と、
長形体であり、前記長形体の面は透光面であり、内部に複数のＬＥＤを埋設させる回路基板を有し、前記回路基板は前記電線に導電されて接続されて電力を獲得すると共に前記制御回路基板に制御され、前記複数のＬＥＤが発射させる光線を前記透光面から射出させ、底部にはボルトにより前記前部ふた板を固設させる事で前記電気制御ケース本体の上面に結合させる照明部を備えることを特徴とする。
【０００８】
また、本考案に係るＬＥＤ照明構造は、電気制御ケース本体は２つの対称になるＵ字型ケースを組み合わせた後に、制御回路基板に問題が発生した場合、数個のボルトを緩めるのみで、何れか１つのＵ字型ケースを分解させる事ができ、その後制御回路基板を素早く簡単にメンテナンス或いは交換させる事ができる。このような構造により、本考案の組立は従来の技術に比べ非常に簡易になる。
【０００９】
本考案のＬＥＤ照明構造の、二実施形態構造は、
２つの対称になるＵ字型ケースを組合せて直方体にさせ、前記Ｕ字型ケースは水平面を有し、前記水平面の両側面はそれぞれ延伸される第１垂直面及び第２垂直面であり、前記第１垂直面の底縁には凹型槽を形成させ、前記第２垂直面の底縁にはフランジ部を形成させ、２つの対向し合うＵ字型ケースの凹型槽及びフランジ部は相互に咬合させて組み合わされ、前記水平面の内面には２つの平行になる溝部を凸設させ、２つの前記Ｕ字型ケースの内の何れか１つの２つの平行になる溝部はボルトにより制御回路基板を螺設させる電気制御ケース本体と、
前記電気制御ケース本体の一側面に冠着されると共に電源入力ソケットを固定させ、電力を有する導線により電源を前記制御回路基板に供給させ、その底縁は垂直に延伸されると共に２つの固定孔を有する第１延伸板である後部ふた板と、
前記電気制御ケース本体の他の側面に冠着され、円形孔を開設させて前記制御回路基板から延伸される電線に貫通させる前部ふた板と、
長形体であり、前記長形体の面は透光面であり、内部に複数のＬＥＤを埋設させる回路基板を有し、前記回路基板は前記電線に導電されて接続されて電力を獲得すると共に前記制御回路基板に制御され、前記複数のＬＥＤが発射させる光線を前記透光面から射出させ、前記長形体の底部に前記前部ふた板を固設させる事で前記電気制御ケース本体の上面に結合させる照明部と、
前記照明部の外端に固定され、底縁は垂直に延伸されると共に他の２つの固定孔を有する第２延伸板であり、緊合装置により前記複数の固定孔及び固定部材を貫通させて、前記固定部材に固定される固定板を備えることを特徴とする。
【００１０】
本考案に係るＬＥＤ照明構造の二実施形態は、固定孔が同一の板上に無く第１延伸板及び第２延伸板上にそれぞれ存在し、孔同士の距離は一実施形態のものとは異なる。
【考案の効果】
【００１１】
本考案によれば、径路内での組立に適したＬＥＤ照明構造が得られる。
【図面の簡単な説明】
【００１２】
【図１】従来のＬＥＤ照明構造の部分分解図である。
【図２】本考案の一実施形態の分解図である。
【図２−２】図２Ａ：のＡ部分の拡大図である。図２Ｂ：図２のＢ部分の拡大図である。
【図３】本考案の一実施形態の組立図である。
【図４】本考案の一実施形態の部分分解図であり、電気制御ケース本体内の制御回路基板の表示である。
【図５】本考案の一実施形態の断面図である。
【図６】本考案の二実施形態の組立図である。
【考案を実施するための形態】
【００１３】
以下に図面を参照して、本考案を実施するための形態について、詳細に説明する。なお、本考案は、以下に説明する実施形態に限定されるものではない。
まず、本考案のＬＥＤ照明構造の一実施形態について説明する。
（一実施形態）
本考案の一実施形態の構成を図２から図５に示す。図２乃至図５は、本考案に係るＬＥＤ照明構造１００の一実施形態であり、電気制御ケース本体１１、後部ふた板１２、固定板１３及び照明部１４から主に構成される。電気制御ケース本体１１は２つの対称になるＵ字型ケース１１１を組み合わせて直方体にさせる。Ｕ字型ケース１１１は水平面１１２を有し、前記水平面１１２の両側面はそれぞれ延伸される第１垂直面１１３及び第２垂直面１１４である。図２Ａによると、第１垂直面１１３の底縁には凹型槽１１５が形成され、第２垂直面１１４の底縁にはフランジ部１１６が形成される。図２Ｂによれば、２つの対向し合うＵ字型ケース１１１の凹型槽１１５及びフランジ部１１６は相互に咬合させて組み合わされ、詳しくは図５の断面図に示す。図４及び図５によると、水平面１１２の内面には２つの平行になる溝部１１７が凸設され、２つのＵ字型ケース１１１の内の何れか１つの２つの平行になる溝部１１７はボルト１１８により制御回路基板１１９を螺設させる。Ｕ字型ケース１１１の水平面１１２と第１垂直面、第２垂直面１１３及び第２垂直面１１４との境界の角の位置にはボルト孔１１０をそれぞれ設ける。
【００１４】
後部ふた板１２は電気制御ケース本体１１の一側面に冠着されると共に電源入力コネクタ１２１を固定させ、電力を有する導線１２２により接続されて電源を前記制御回路基板１１９に供給させる。固定板１３は電気制御ケース本体１１の他の側面に冠着される前部ふた板１３１を有し、前部ふた板１３１には円形孔１３２を開設させ制御回路基板１１９から延伸される電線１１９ａを貫通させる。前部ふた板１３１の側面は垂直に延伸され且つ複数の固定孔１３３を有する延伸板１３４であり、緊合装置（図示せず）により複数の固定孔１３３及び固定部材（図示せず）を貫通させる事で、固定部材に平行にさせるか、或いは任意の角度に傾斜させるかを選択させて固定させる。このほか、複数のボルト１１８は前部ふた板１３１及び後部ふた板１２の外から穿入させてＵ字型ケース１１１のボルト孔１１０に螺合させる。
【００１５】
固定板１３の固定孔１３３は４つの長形孔であり、固定板１３の延伸板１３４上に等角に分布される。
【００１６】
さらに、照明部１４は長形体であり、前記長形体の面は透光面１４１であり、内部には複数のＬＥＤ１４２を埋設させる回路基板を有し、前記回路基板は電線１１９ａに導電されて接続されて電力を獲得し制御回路基板１１９により制御されて、複数のＬＥＤ１４２が発射させる光線を透光面１４１から射出させ、照明部１４の底部にボルト１１８により前部ふた板１３１を固設させる事で電気制御ケース本体１１の上面に結合させる。
【００１７】
本考案の電気制御ケース本体１１は２つの対称になるＵ字型ケース１１１が組み合わされて組み立てられた後、もし制御回路基板１１９に問題が発生したならば、図４によれば、数個のボルト１１８を緩めるのみで、何れか１つのＵ字型ケース１１１を分解させ、その後制御回路基板１１９を素早く簡単にメンテナンス或いは交換させる事ができる。このような構造により、本考案の組立は従来の技術に比べ非常に簡易になる。
【００１８】
次は、本考案のＬＥＤ照明構造の二実施形態について説明する。
（二実施形態）
更には、本考案は異なる需要に合わせ部分的な設計を改変可能である。図６は本考案に係るＬＥＤ照明構造２００の二実施形態であり、前記一実施形態に類似し、電気制御ケース本体２１、後部ふた板２２及び照明部２４から主に構成され、但し前記一実施形態の固定板１３は前部ふた板２３１及び固定板２３２の２つの部材に変更させる。本実施形態の電気制御ケース本体２１と前記一実施形態との共通する部分は、２つの対称になるＵ字型ケース２１１が組み合わされて構成され、照明部２４も前記一実施形態と同様である。このほか、後部ふた板２２も前記一実施形態と大方同様であり、電気制御ケース本体２１の一側面に冠着されるが、但し電源入力ソケット構造２２１を固定させて電力を有する導線に接続させて電源を内部の制御回路基板に供給させ、電源入力ソケット構造２２１は開閉可能な円形蓋２２４を有してソケット孔を蓋させる。同時に、後部ふた板２２の底縁は垂直に延伸され且つ２つの固定孔２２２を有する第１延伸板２２３である。
【００１９】
前部ふた板２３１は電気制御ケース本体２１の他の側面に冠着され、固定板２３２は照明部２４の外端に固定され、その底縁は垂直に延伸され且つ他の２つの固定孔２３３を有する第２延伸板２３４であり、緊合装置により複数の固定孔２２２、固定孔２３３、及び固定部材を貫通させる事で、前記固定部材に固定させる。
【００２０】
このほか、何れか１つのＵ字型ケース２１１の水平面の外側には電源出力ソケット構造２１２を設置させる。電源出力ソケット構造２１２も円形蓋２１３を有しソケット孔を蓋させる。二実施形態は、異なる固定部材の異なる固定距離の要求により固定孔２２２及び固定孔２３３を同一の板上に設計させず、第１延伸板２２３及び第２延伸板２３４上にそれぞれ設計させ、一実施形態とは異なる孔の距離となる。
【００２１】
以上、本考案の実施形態について図面を参照して詳述したが、具体的な構成はこの実施形態に限られるものではなく、本発明の要旨を逸脱しない範囲の設計変更等も含まれる。
【符号の説明】
【００２２】
１００      ＬＥＤ照明構造        
１１        電気制御ケース本体        
１１０      ボルト孔        
１１１      Ｕ字型ケース        
１１２      水平面        
１１３      第１垂直面        
１１４      第２垂直面        
１１５      凹型槽        
１１６      フランジ部        
１１７      溝部        
１１８      ボルト        
１１９      制御回路基板        
１１９ａ    電線        
１２        後部ふた板        
１２１      電源入力コネクタ        
１２２      導線        
１３        固定板        
１３１      前部ふた板        
１３２      円形孔        
１３３      固定孔        
１３４      延伸板        
１４        照明部        
１４１      透光面        
１４２      ＬＥＤ        
２００      ＬＥＤ照明構造        
２１１      Ｕ字型ケース        
２１２      電源出力ソケット構造        
２１３      円形蓋        
２２        後部ふた板        
２２１      電源入力ソケット構造        
２２２      固定孔        
２２３      第１延伸板        
２２４      円形蓋        
２３１      前部ふた板        
２３２      固定板        
２３３      固定孔        
２３４      第２延伸板        
２４        照明部        
９１        電気制御ケース本体        
９２        後部ふた板        
９３        固定板        
９４        照明部        
９５        制御回路基板   
【図１】
0003178984.tif 000003
【図２】
0003178984.tif 000004
【図２−２】
0003178984.tif 000005
【図３】
0003178984.tif 000006
【図４】
0003178984.tif 000007
【図５】
0003178984.tif 000008
【図６】
0003178984.tif 000009